(57)【要約】
【課題】            生ホタテは区分けして且つ整列して収納するようにすると共に、整列して収納した生ホタテが、その後の取扱いにより、また、搬送中等における振動や動揺で容器内で移動して片寄ったり、重なり合ったりすることがなく、品質の保持ができる生ホタテの収納用容器を提供する。
【解決手段】        生ホタテを収納する容器であって、該容器の容器本体内が仕切壁にて複数に区画されており、仕切壁は容器本体と合成樹脂にて一体成形されている。
【選択図】          図１
0003100666.tif 000002
【実用新案登録請求の範囲】
【請求項１】
生ホタテを収納する容器であって、該容器の容器本体内が仕切壁にて複数に区画されていることを特徴とする生ホタテの収納用容器。
【請求項２】
前記容器本体の仕切壁は、容器本体と合成樹脂にて一体成形されていることを特徴とする請求項１記載の生ホタテの収納用容器。
【請求項３】
前記容器は、容器本体と蓋体とで構成されていることを特徴とする請求項１または２記載の生ホタテの収納用容器。
【考案の詳細な説明】
【技術分野】
【０００１】
この考案は、生ホタテ（ホタテ貝の生貝柱）を型崩れせずに整列して収納する生ホタテの収納用容器に関する。
【背景技術】
【０００２】
従来の生ホタテを収納する容器は、図４および図５に示すように薄い合成樹脂にて一体成形された容器本体１１と蓋体１６とで構成され、容器本体１１は、底部１２の周囲から一体に立ち上がり且つ上端部にフランジ部１４を一体に設けた側壁１３により方形で上面開口の箱状となっている。側壁１３で囲まれた容器本体１１内の底部１２は平面であり、生ホタテは容器本体１１内の底部１２に整列して収納されている。
【０００３】
しかし、前記従来の生ホタテの収納用容器は、容器本体１１内の底部１２が広い平面であるので、ここに整列して収納されている生ホタテは、その後の取扱いで、例えば容器の傾斜で、または搬送中等における振動や動揺で、図５に示すように収納した生ホタテＳが移動し片寄ってしまったり、重なってしまい、その結果、型崩れさせたり、品質を低下させてしまう課題がある。
【０００４】
然るに、菓子などにおいては、区分けして収納した菓子の移動を防止した容器（例えば、特許文献１参照）が提案されているし、エビ天ぷら等でも区分けして収納した商品の移動を防止した容器（例えば、特許文献２参照）が提案されているが、生ホタテについてはこのような容器は提案されていない。
【特許文献１】特開昭５３−６５１９４号公報
【特許文献２】特開平８−１４３０８５号公報
【考案の開示】
【考案が解決しようとする課題】
【０００５】
この考案は、このような課題を解決せんと提案されたものであり、その目的は、生ホタテは区分けして且つ整列して収納するようにすると共に、整列して収納した生ホタテが、その後の取扱いにより、また、搬送中等における振動や動揺で容器内で移動して片寄ったり、重なり合ったりすることがなく、型崩れもせず品質の保持ができる生ホタテの収納用容器の提供にある。
【課題を解決するための手段】
【０００６】
前記課題を解決するため、この考案の生ホタテの収納用容器は、生ホタテを収納する容器であって、該容器の容器本体内が仕切壁にて複数に区画されている。従って、容器本体内に区分けして整列して収納された生ホタテは、例えば容器が傾斜したり、搬送中に振動や動揺があっても移動が仕切壁にて阻害されるため、生ホタテが片寄ったり、重なり合うことがなく整列状態を維持する、。その結果、型崩れもなく、品質が保持されると共に、整列した状態での陳列および販売ができる。
【０００７】
また、この考案の生ホタテの収納用容器は、前記容器本体の仕切壁が、容器本体と合成樹脂にて一体成形されている。従って、この容器は合成樹脂にて一体成形できるので、製造が容易となり安価に提供できる。そのため仕切壁が存在しても従来の前記容器と価格に大きな変動はない。
さらに、この考案の生ホタテの収納用容器は、容器本体と蓋体とで構成されている。これにより容器本体に収納した生ホタテは、容器本体の開口部を蓋体で閉口することによって保護することができるし、輸送にも、陳列にも、販売にも好ましい。
【考案の効果】
【０００８】
この考案の生ホタテの収納用容器は、容器本体内が仕切壁にて複数に区画されているので、生ホタテはその区画された容器本体内に区分けして収納することができ、その結果、整列して収納された生ホタテは、例えば、容器が傾斜したり、振動したり、動揺しても移動が仕切壁にて阻止されるので、片寄ったり、重なり合ったりすることが防止され、整列状態を維持できるし、品質を保持することができる効果を奏する。また、生ホタテが整列しているので見栄えもよく、容器のまま陳列したり販売するのにも好ましい。
【０００９】
また、容器本体の仕切壁が、容器本体と合成樹脂にて一体成形されていると、その製造が合成樹脂の一体成形で可能となるため、大きくコストアップすることなく提供できるし、使い勝手もよいし、見た目もきれいであるし、他の部品が介在しないので衛生的でもある。
さらに、容器は容器本体と蓋体とで構成されているので、容器本体に収納された生ホタテは、蓋体で閉口して保護できる。従って、保管、輸送、陳列および販売等に有効である。
【考案を実施するための最良の形態】
【００１０】
以下、この考案の実施の形態を図面について詳細に説明する。図１は、この考案の実施の形態を示す斜視図、図２は、この考案の実施の形態の使用状態を示す斜視図、図３は、この考案の実施の形態の使用状態を示す断面図である。
同図において、生ホタテを収納する容器は、薄い合成樹脂にて一体成形された容器本体１と蓋体６とで構成されている。
【００１１】
容器本体１は、底部２の周囲から一体に立ち上がり且つ端部周縁にフランジ部４を一体に設けた側壁３により方形で上面開口の箱状に形成されている。側壁３で囲まれた容器本体１内の底部２は、立設された複数の仕切壁５にて複数に区画されている。この仕切壁５は、容器本体１と合成樹脂にて一体成形されている。この仕切壁５は、生ホタテＳを１個づつ収納する区画であってもよいし、複数を収納する区画であってもよい。複数を収納する区画の場合には、収納した生ホタテＳの移動が品質の低下しない程度抑制される範囲とする。本例の仕切壁５は、容器本体１の底部２の長手方向に２列が設けられ、３室に区画されている。この場合、仕切壁５と仕切壁５との間隔および仕切壁５と側壁３との間隔は、収納する生ホタテＳの大きさ（直径）に略対応する間隔とすると、収納した生ホタテＳの動きが規制されるので好ましい。
【００１２】
図２は容器本体１に生ホタテを収納した状態の斜視図、図３は容器本体１に生ホタテを収納した状態の断面図である。この図から容器本体１に収納された生ホタテＳの移動が、仕切壁５にて規制されている様子がよく理解できる。また、図３から仕切壁５と仕切壁５との間隔および仕切壁５と側壁３との間隔が、収納する生ホタテＳの大きさ（直径）に略対応（相当）する間隔であると、収納した生ホタテＳの動きが防止される様子がよく理解できる。
【００１３】
蓋体６は、容器本体１の開口に対応する大きさであり、周縁に容器本体のフランジ部４に嵌合する嵌合部７が合成樹脂にて一体成形されている。これにより蓋体６で容器本体１の開口を閉じると、嵌合部７が容器本体１のフランジ部４に嵌合し、脱落しないように密閉する。この状態は図３によくあらわれている。
【００１４】
しかして、容器本体１内には、生ホタテＳを図２に示すように仕切壁５にて区画された室内に整列して収納し、図３に示すように蓋体６で密閉できるので、この状態で保管、輸送、展示および販売することができる。店頭では蓋体６を取り外した図２に示す状態で陳列してもよい。この時、容器本体１に収納した生ホタテＳは、その後の取扱いや、輸送における振動、動揺での移動が仕切壁５および側壁３で防止されるので、容器本体１内で移動して片寄ったり、重なり合ったりすることがなく、型崩れしたり品質が低下することがない。
【産業上の利用可能性】
【００１５】
この考案の生ホタテの収納用容器は、容器本体１と蓋体６が別体であってもよいし、蓋体６が容器本体１にヒンジ結合したものでもよい。
【図面の簡単な説明】
【００１６】
【図１】この考案の実施の形態を示す斜視図である。
【図２】この考案の実施の形態の使用状態を示す斜視図である。
【図３】この考案の実施の形態の使用状態を示す断面図である。
【図４】従来例を示す斜視図である。
【図５】従来例の使用状態を示す斜視図である。
【符号の説明】
【００１７】
１  容器本体
２  底部
３  側壁
４  フランジ部
５  仕切壁
６  蓋体
７  嵌合部
【図１】
0003100666.tif 000003
【図２】
0003100666.tif 000004
【図３】
0003100666.tif 000005
【図４】
0003100666.tif 000006
【図５】
0003100666.tif 000007